(57)【要約】  １以上の通信ベアラを介する通信を可能にする通信装置が開示される。上記通信装置は、別のパーティが該通信装置との通信を要求するときに存在するページメッセージを公衆地上移動通信ネットワークノードから受信するように構成された受信部と、上記別のパーティとのＩＰ接続を提供するために上記通信ベアラのうちの１以上の通信ベアラ上でインターネットとの接続を確立するように構成されると共に、ページングのクロージングを可能にするために、公衆地上移動通信ネットワークによってページングの管理を行うページサーバへ向けて、インターネットとの確立済みの接続を介して通知を送信するように構成された接続コントローラと、を備える。さらに、インターネットと接続されたページサーバが開示される。上記ページサーバは、第２のパーティとの通信を要求する第１のパーティから要求を受信するように構成された接続要求側受信部と、公衆地上移動通信ネットワークとの通信を行うためのインタフェースであって、ページメッセージの提供に当たって、第１のパーティからの上記受信済みの要求に当たって、上記公衆地上移動通信ネットワークへページ要求を提供するように構成されたインタフェースと、上記ページメッセージが受信された旨の通知を第２のパーティとインターネットとの間において、上記確立済みの接続を介して受信するように構成された通知受信部と、を備えると共に、上記インタフェースは、上記ページングのクロージングのために上記通知の受信時にページ解除要求を上記公衆地上移動通信ネットワークへ提供するようにさらに構成される。方法及びコンピュータプログラムも開示される。
2012507227.tif 000002
【特許請求の範囲】
【請求項１】
１以上の通信ベアラ上で通信を行うことが可能な通信装置であって、
別のパーティが前記通信装置との通信を要求する際に存在するページメッセージを公衆地上移動通信ネットワークノードから受信する受信部と、
前記別のパーティとのＩＰ接続を提供するために、前記通信ベアラのうちの１つ以上の通信ベアラを介してインターネットとの接続を確立し、インターネットとの前記確立された接続を介して、前記公衆地上移動通信ネットワークによるページングを管理するページサーバへ向けて、前記ページングのクロージングを可能にするために通知を送信するように構成された接続コントローラと、
を備えることを特徴とする通信装置。
【請求項２】
前記公衆地上移動通信ネットワークはＧＳＭネットワークであることを特徴とする請求項１に記載の通信装置。
【請求項３】
前記ページメッセージは、前記ＧＳＭネットワークのブロードキャスト制御チャネルにおいて指示されるページングチャネルを介して提供されることを特徴とする請求項２に記載の通信装置。
【請求項４】
前記ページサーバへの前記通知は、ページ確認応答であることを特徴とする請求項１乃至３のいずれか１項に記載の通信装置。
【請求項５】
前記ページメッセージは、前記別のパーティのＩＰアドレスに関連付けられた情報を含み、前記別のパーティの前記ＩＰアドレスを利用することによって、前記別のパーティとの前記ＩＰ接続の提供が実行されることを特徴とする請求項１乃至４のいずれか１項に記載の通信装置。
【請求項６】
前記接続コントローラは、インターネットとの前記確立済みの接続を介して、前記別のパーティのＩＰアドレスを前記ページサーバから取得するように構成され、前記別のパーティとのＩＰ接続の前記提供は、前記別のパーティのＩＰアドレスを用いて行われることを特徴とする請求項１乃至４のいずれか１項に記載の通信装置。
【請求項７】
前記受信部は、さらに、一定時間ごとに制御チャネルを読み出し、前記制御チャネルに関するロケーションエリア情報が、前記通信装置内に格納された以前に読み出されたロケーションエリア情報とは異なる場合、前記装置は、さらに前記ページサーバ内に提供されている前記ロケーションエリア情報を更新するために該ページサーバと接続することを特徴とする請求項１乃至６のいずれか１項に記載の通信装置。
【請求項８】
別のパーティからの要求により前記別のパーティとのＩＰ接続を確立するための方法であって、
前記別のパーティが通信を要求するときに存在するページメッセージを公衆地上移動通信ネットワークノードから受信するステップと、
インターネットと接続するための１以上の実行可能な接続オプションのなかから接続を決定するステップと、
前記別のパーティとのＩＰ接続を提供するために１以上の通信ベアラ上でインターネットとの前記接続を確立するステップと、
インターネットとの前記確立された接続を介して、前記公衆地上移動通信ネットワークによって前記ページングを管理するページサーバへ向けて、前記ページングのクロージングを可能にするために通知を送信するステップと、
を有することを特徴とする方法。
【請求項９】
前記公衆地上移動通信ネットワークがＧＳＭネットワークであり、前記ＧＳＭネットワークのブロードキャスト制御チャネルから前記ページングチャネルを決定するステップをさらに有することを特徴とする請求項８に記載の方法。
【請求項１０】
前記接続を決定するステップは、可用性、電力、コスト又はパフォーマンスのニーズのうちのいずれか、又はこれらの任意の組み合わせに基づく決定を含むことを特徴とする請求項８又は９に記載の方法。
【請求項１１】
前記接続を決定するステップは、並列に動作する複数の接続を決定することを含むことを特徴とする請求項８乃至１０のいずれか１項に記載の方法。
【請求項１２】
前記ページメッセージは、前記別のパーティの前記ＩＰアドレスに関連付けられた情報を含み、前記別のパーティのＩＰアドレスを利用することによって前記別のパーティとのＩＰ接続の提供が実行されることを特徴とする請求項８乃至１１のいずれか１項に記載の方法。
【請求項１３】
インターネットとの前記確立済みの接続を介して、前記別のパーティのＩＰアドレスを前記ページサーバから取得するステップをさらに有し、前記別のパーティとのＩＰ接続は、前記別のパーティのＩＰアドレスを用いることによって行われることを特徴とする請求項８乃至１１のいずれか１項に記載の方法。
【請求項１４】
制御チャネルを一定時間ごとに読み出すステップと、
前記制御チャネルに関するロケーションエリア情報が以前に読み出されたロケーションエリア情報とは異なる場合、前記ページサーバに提供されている前記ロケーションエリア情報を更新するために前記ページサーバと接続するステップと、
をさらに有することを特徴とする請求項８乃至１３のいずれか１項に記載の方法。
【請求項１５】
プロセッサにより実行されるとき、請求項８乃至１４のいずれか１項に記載の方法を前記プロセッサに実行させるための命令を含むプログラムコードを含むコンピュータプログラム。
【請求項１６】
インターネットと接続されたページサーバであって、
第２のパーティとの通信を要求する第１のパーティから要求を受信する接続要求側受信部と、
公衆地上移動通信ネットワークとの通信を行うためのインタフェースであって、前記第１のパーティからの前記要求の受信によるページメッセージの提供において、前記公衆地上移動通信ネットワークへページ要求を提供するインタフェースと、
前記ページメッセージが受信された旨の通知を前記第２のパーティとインターネットとの間で確立された接続を介して受信するように構成された通知受信部と、
を備え、
前記インタフェースは、さらに、前記通知の受信時に、前記ページングのクロージングのために、ページ解除要求を前記公衆地上移動通信ネットワークへ提供することを特徴とするページサーバ。
【請求項１７】
前記ページメッセージは、前記第１のパーティのＩＰアドレスに関連付けられた情報を含むことを特徴とする請求項１６に記載のページサーバ。
【請求項１８】
前記ページ要求が前記ページサーバのＩＰアドレスに関連付けられたローカルエリアコードをさらに含むように、ＩＰアドレスと、該ＩＰアドレスに関連付けられたローカルエリアコードとの組を含むテーブルをさらに備えることを特徴とする請求項１７に記載のページサーバ。
【請求項１９】
さらに、パーティのロケーションエリア情報の更新のために該パーティによりアクセスされるように構成されていることを特徴とする請求項１８に記載のページサーバ。
【請求項２０】
さらに、前記第２のパーティのインターネットとの接続を介して、前記第１のパーティのＩＰアドレスに関連付けられた情報を前記第２のパーティへ提供ことを特徴とする請求項１６に記載のページサーバ。
【請求項２１】
前記第２のパーティへの前記提供済み情報が前記ページサーバのＩＰアドレスに関連付けられたローカルエリアコードをさらに含むように、ＩＰアドレスと、該ＩＰアドレスの関連付けられたローカルエリアコードとの組を含むテーブルをさらに含むことを特徴とする請求項２０に記載のページサーバ。
【請求項２２】
第１のパーティと第２のパーティ間における接続を提供するための方法であって、
第２のパーティとの通信を要求する要求を第１のパーティからインターネット上で受信するステップと、
前記第１のパーティからの前記要求の受信によるページメッセージの提供において、前記第２のパーティがＩＰ接続を前記第１のパーティへ提供するべく１以上の通信ベアラを介してインターネットとの接続を確立できるように、ページングチャネル上でページメッセージが送信されるように、公衆地上移動通信ネットワークへページ要求を提供するステップと、
前記ページメッセージが受信された旨の通知を前記第２のパーティとインターネットとの間で確立された接続を介して受信するステップと、
前記ページングをクロージングするために、前記通知の受信によりページ解除要求を前記公衆地上移動通信ネットワークへ提供するステップと、
を有することを特徴とする方法。
【請求項２３】
前記別のパーティの前記ＩＰアドレスを利用することによって前記別のパーティとのＩＰ接続の提供が実行されるように、前記ページメッセージが、前記第１のパーティのＩＰアドレスに関連付けられた情報を含むことを特徴とする請求項２２に記載の方法。
【請求項２４】
前記第２のパーティのＩＰアドレスに関連付けられたローカルエリアコードを決定するステップと、
前記ローカルエリアコードを前記ページ要求の中に含めるステップと、
をさらに有することを特徴とする請求項２３に記載の方法。
【請求項２５】
パーティのロケーションエリア情報に関する更新情報を受信するために該パーティによるアクセスを可能にするステップをさらに有することを特徴とする請求項２４に記載の方法。
【請求項２６】
前記別のパーティとのＩＰ接続の提供が前記別のパーティのＩＰアドレスを用いることによって行われるように、インターネットとの前記確立された接続を介して、前記ページサーバから得られる前記別のパーティのＩＰアドレスに関連付けられた情報を提供するステップをさらに有することを特徴とする請求項２２に記載の方法。
【請求項２７】
前記第２のパーティのＩＰアドレスに関連付けられたローカルエリアコードを決定するステップと、
該ローカルエリアコードを前記情報の提供の中に含めるステップと、をさらに有することを特徴とする請求項２６に記載の方法。
【請求項２８】
プロセッサにより実行されるとき、請求項２２乃至２７のいずれか１項に記載の方法を前記プロセッサに実行させるための命令を含むプログラムコードを含むコンピュータプログラム。
【発明の詳細な説明】
【技術分野】
【０００１】
本発明は、１以上の通信ベアラ（communication bearer）及びインターネットと接続されたページサーバを介して通信を可能にする通信装置に関する。本発明はさらに、通信装置並びにページサーバのそれぞれのための方法及びコンピュータプログラムに関する。
【背景技術】
【０００２】
インターネット上での通信、すなわちインターネットプロトコルアドレスを有するエンティティ間でインターネットプロトコル（ＩＰ）を用いる通信、が広く普及しており、この通信は、どの通信ベアラが使用されるかに関係なく、より一般的なものとなっていると考えられる。通信ベアラに関する例としては、公衆交換電話網、非対称のデジタル加入者回線、イーサネット（登録商標）、ローカルエリアネットワーク等のような有線接続、又は、ＷｉＦｉ、セルラテレコミュニケーションネットワーク、ＷｉＭＡＸ、短距離無線接続等のような無線接続がある。サービスの一例としてボイスオーバＩＰがある。特に無線接続を考えた場合、多数の接続がモビリティに係る問題を提起する。さらに、複数のタイプの接続を介して端末が通信を行うことができる場合も多い。これは時として「常時最適接続」（ＡＢＣ：Always-Best-Connected）コンセプトと呼ばれることがある。通信がユーザ側終了トランザクションである場合、モビリティ及びＡＢＣのコンセプトのアグリゲーションの問題（aggregate problem）がそのエッジに置かれることになる。必ずしも相互接続が行われるわけではない異なるネットワークに対して種々のベアラが対応できる場合もある。複数のベアラ上で通信要求が同時に開始された場合、容量及び複雑さという問題が生じ得る。さらに、通信を求める着信要求をキャッチするために端末が多数のベアラを監視する必要がある場合、ハードウェアリソースの消費量及び電力が手に負えなくなる可能性がある。同様に、多数のベアラ上において、並びに、多数の地理上の場所において通信要求を提供しなければならない場合、複雑さと、干渉と、容量との少なくともいずれかの問題が生じることが考えられる。従って、モビリティと接続とを保証するための複雑さの少ないアプローチを提供したいという要望がある。
【発明の概要】
【課題を解決するための手段】
【０００３】
本発明は、移動通信用グローバルシステム（ＧＳＭ）などの公衆地上移動通信ネットワーク（ＰＬＭＮ）によってモビリティが最適に提供されるという理解に基づくものである。ＰＬＭＮからのブロードキャストを端末に監視させることによって、通信要求は実行可能な方法で端末に着信することができる。次いで、端末は、通信要求側パーティと通信状態になるために該端末のＡＢＣメカニズムを利用することができる。上記通信要求のブロードキャストはページサーバからの要求においてＰＬＭＮにより提供され、端末が通信を確立したとき、端末はページサーバにその旨を通知することができ、次いで、ページサーバはページングの解除をＰＬＭＮに命令することができる。
【０００４】
第１の側面によれば、１以上の通信ベアラ上で通信が可能な通信装置が提供される。上記通信装置は、別のパーティが該通信装置との通信を要求するときに存在するページメッセージを公衆地上移動通信ネットワークノードから受信するように構成された受信機と、上記別のパーティとのＩＰ接続を提供するために上記通信ベアラのうちの１以上の通信ベアラ上でインターネットとの接続を確立するように構成され、上記ページングのクロージング（closing of the paging）を可能にするために公衆地上移動通信ネットワークによってページングの管理を行うページサーバへ向けて、インターネットとの確立済みの接続を介して通知を送信するように構成された接続コントローラを備える。
【０００５】
公衆地上移動通信ネットワークはＧＳＭネットワークであってもよい。上記ページメッセージは、ＧＳＭネットワークのブロードキャスト制御チャネルにおいて示されるページングチャネル上で提供されてもよい。
【０００６】
上記ページサーバへの通知はページ確認応答であってもよい。
【０００７】
上記ページメッセージは、上記別のパーティのＩＰアドレスに関連付けられた情報を含み、上記別のパーティのＩＰアドレスを利用することによって上記別のパーティとのＩＰ接続の提供が実行されてもよい。
【０００８】
上記接続コントローラは、インターネットとの上記確立済み接続を介して上記別のパーティのＩＰアドレスを上記ページサーバから取得するように構成されてもよく、上記別のパーティのＩＰアドレスを利用することによって上記別のパーティとのＩＰ接続の提供を実行してもよい。上記受信機は、一定時間ごとに制御チャネルを読み出すようにさらに構成されてもよく、上記制御チャネルに関するロケーションエリア情報が、上記通信装置内に格納された以前に読み出されたロケーションエリア情報とは異なる場合、上記装置は、上記ページサーバ内において提供された上記ロケーションエリア情報を更新するために該ページサーバと接続するように構成されてもよい。
【０００９】
第２の側面によれば、別のパーティからの要求時に該別のパーティとＩＰ接続を確立する方法が提供される。本方法は、上記別のパーティが通信を要求するときに存在するページメッセージを公衆地上移動通信ネットワークノードから受信するステップと、インターネットと接続するために、１以上の実行可能な接続オプションのなかから接続を決定するステップと、別のパーティとのＩＰ接続を提供するために１以上の通信ベアラ上でインターネットとの接続を確立するステップと、上記ページングのクロージングを可能にするために公衆地上移動通信ネットワークによって該ページングを管理するページサーバへ向けて、インターネットとの確立済みの接続を介して通知を送信するステップと、を有する。
【００１０】
上記公衆地上移動通信ネットワークはＧＳＭネットワークであってもよく、その場合、本方法は上記ＧＳＭネットワークのブロードキャスト制御チャネルから上記ページングチャネルを決定するステップをさらに有してもよい。
【００１１】
上記接続の決定ステップは、可用性、電力、コスト又はパフォーマンスのニーズのうちのいずれかのニーズ、又はこれらのニーズの任意の組み合わせに基づく決定を含んでもよい。
【００１２】
上記接続の決定ステップは並列に動作する複数の接続を決定するステップを有してもよい。
【００１３】
上記ページメッセージは、上記別のパーティのＩＰアドレスに関連付けられた情報を含んでいてもよく、その場合、上記別のパーティのＩＰアドレスを利用することによって上記別のパーティとのＩＰ接続の提供が実行されてもよい。
【００１４】
本方法は、インターネットとの上記確立済みの接続を介して上記ページサーバから得られる上記別のパーティのＩＰアドレスを取得するステップをさらに有し、上記別のパーティとのＩＰ接続を提供するステップは、該別のパーティのＩＰアドレスの利用により実行されてもよい。
【００１５】
本方法は、一定時間ごとに制御チャネルを読み出すステップと、上記制御チャネルに関するロケーションエリア情報が以前に読み出されたロケーションエリア情報とは異なる場合、上記ページサーバ内において提供された上記ロケーションエリア情報を更新するために該ページサーバと接続するステップをさらに有してもよい。
【００１６】
第３の側面によれば、命令を含むプログラムコードを含むコンピュータプログラムであって、プロセッサによって実行されるとき、上記第２の側面に従って本方法を上記プロセッサに実行させるように構成されたプログラムが提供される。
【００１７】
第４の側面によればインターネットと接続されたページサーバが提供される。上記ページサーバは、第２のパーティとの通信を要求する第１のパーティから要求を受信するように構成された接続要求側受信機と、公衆地上移動通信ネットワークと通信を行うためのインタフェースであって、第１のパーティからの受信済み要求に当たって、ページメッセージの提供時に公衆地上移動通信ネットワークへページ要求を提供するように構成されたインタフェースと、上記ページメッセージを受信した旨の通知を第２のパーティとインターネットとの間で確立済みの接続を介して受信するように構成された通知受信機であって、上記インタフェースが、上記ページングのクロージングのために、公衆地上移動通信ネットワークに対して、上記通知の受信時にページ解除要求を提供するようにさらに構成された通知受信機と、を備える。
【００１８】
上記ページメッセージは第１のパーティのＩＰアドレスに関連付けられた情報を含んでもよい。上記ページ要求が上記ページサーバのＩＰアドレスに関連付けられたローカルエリアコードをさらに含むように、上記ページサーバは、ＩＰアドレスと該複数のＩＰアドレスの関連付けられたローカルエリアコードとの組を含むテーブルをさらに含んでもよい。
【００１９】
上記ページサーバは、インターネットとの該サーバの接続を介して第１のパーティのＩＰアドレスに関連付けられた情報を第２のパーティへ提供するようにさらに構成されてもよい。上記ページサーバは、ＩＰアドレスと、該複数のＩＰアドレスの関連付けられたローカルエリアコードとの組を含むテーブルをさらに含んでもよく、それによって、第２のパーティへの上記提供された情報は該ページサーバのＩＰアドレスに関連付けられたローカルエリアコードをさらに含むようになる。上記ページサーバは、パーティのロケーションエリア情報の更新のために該パーティによりアクセスされるようにさらに構成されてもよい。
【００２０】
第５の側面によれば、第１のパーティと第２のパーティ間において接続を提供する方法が提供される。本方法は、第２のパーティとの通信を要求する第１のパーティからインターネット上で要求を受信するステップと、第１のパーティからの要求を受信した際に、ページ要求を公衆地上移動通信ネットワークへ提供し、それによって、ページメッセージの提供において、第２のパーティが第１のパーティへＩＰ接続を提供するために１以上の通信ベアラ上でインターネットとの接続を確立できるように、ページングチャネルでページメッセージが送信されるようにするステップと、該ページメッセージが受信された旨の通知を、第２のパーティとインターネット間における確立済みの接続を介して受信するステップと、上記ページングのクロージングのために、上記通知の受信時に、公衆地上移動通信ネットワークに対してページ解除要求を提供するステップと、を有する。
【００２１】
上記ページメッセージは第１のパーティのＩＰアドレスに関連付けられた情報を含んでいてもよく、その結果、上記別のパーティのＩＰアドレスを利用することによって上記別のパーティとのＩＰ接続の提供を実行するようにしてもよい。本方法は第２のパーティのＩＰアドレスに関連付けられたローカルエリアコードを決定するステップと、上記ローカルエリアコードを上記ページ要求の中に含めるステップと、をさらに有してもよい。本方法は、パーティのロケーションエリア情報に関する更新情報を受信するためにパーティによるアクセスを可能にするステップをさらに有してもよい。
【００２２】
本方法はインターネットとの確立済みの接続を介して、上記別のパーティのＩＰアドレスに関連付けられた情報をページサーバから提供するステップをさらに有してもよく、それによって、上記別のパーティとのＩＰ接続の提供が上記別のパーティのＩＰアドレスにより実行されるようにする。本方法は、第２のパーティのＩＰアドレスに関連付けられたローカルエリアコードを決定するステップと、上記ローカルエリアコードを上記情報の提供の中に含めるステップと、をさらに有してもよい。
【００２３】
第６の側面によれば、命令を含むプログラムコードを含むコンピュータ可読媒体であって、プロセッサによって実行されるとき、上記第５の側面に従って本方法を上記プロセッサに実行させるように構成されるコンピュータ可読媒体が提供される。
【図面の簡単な説明】
【００２４】
【図１】実施形態に係る通信装置を概略的に示すブロック図である。
【図２】実施形態に係る通信装置のための方法を示すフローチャートである。
【図３】実施形態に係るパーティ間での通信を行うための環境を概略的に示す図である。
【図４】実施形態に係るパーティ間での通信に関与するエンティティ間での信号フローを示す図である。
【図５】実施形態に係るページサーバを概略的に示すブロック図である。
【図６】実施形態に係るサーバのための方法を示すフローチャートである。
【図７】コンピュータ可読媒体を概略的に示す図である。
【図８】実施形態に係る通信装置のための方法を示すフローチャートである。
【図９】実施形態に係る通信装置のための方法を示すフローチャートである。
【図１０】実施形態に係るサーバのための方法を示すフローチャートである。
【図１１】実施形態に係るサーバのための方法を示すフローチャートである。
【発明を実施するための形態】
【００２５】
図１は実施形態に係る通信装置１００を概略的に示すブロック図である。通信装置は、信号処理手段、中央演算処理装置、メモリ、ユーザインタフェース等のような通常提供される複数のエレメントを備える。これらのエレメントは本発明の特徴をあいまいにしないようにするために図１には図示されておらず、詳細な説明を省略する。通信装置１００は、例えばＧＳＭネットワークのブロードキャスト制御チャネル内のページングチャネル上で、ＰＬＭＮからページメッセージを受信するように構成されたＰＬＭＮ受信機１０２を備える。また、ＰＬＭＮ受信機１０２は、上記ページメッセージを受信するための適当な周波数及びタイミングを印加できるように、例えば周波数訂正チャネル及び同期チャネルに等に関する制御情報をＰＬＭＮから受信できることが望ましい。さらに、ＰＬＭＮ受信機１０２は、ロケーションエリア識別子及びページングチャネルをそれぞれ発見できるように、ブロードキャスト制御チャネル及び共通制御チャネルを受信できることが望ましい。実際のＰＬＭＮに適合された類似のチャネル及び情報の獲得が同じように実行可能である。以下さらに説明するように、このチャネル及び情報の獲得によってモビリティが提供される。上記ページメッセージは別のパーティが通信装置との接続を要求していることを示す。このページメッセージは上記別のパーティのＩＰアドレスを含むことができる。また、このメッセージは上記別のパーティのＩＰアドレスに関連付けられた情報（氏名や電話番号など）を含むことができる。或いは、ページメッセージは第１のパーティに関する情報を提供しない。その場合、第２のパーティは第１のパーティと直接接続を行うことはできなくなる。代わりに、第１のパーティに関する情報は、上記ページメッセージの送信のために、上記ページ要求をＰＬＭＮに対して提供するページサーバなどの中に常駐する。接続要求に当たって、第２のパーティは上記ページサーバとまず接続する。第２のパーティは、この接続によって上記ページ受信の確認応答を行うが、氏名、電話番号、又はＩＰアドレスなどの第１のパーティに関する情報もまた取得する。その後、第２のパーティは第１のパーティと接続する。この代替アプローチは、ＰＬＭＮエアインタフェースに関するページングメッセージ内への情報追加のニーズをうまく回避することになる。
【００２６】
また、通信装置１００は、１以上のＩＰ接続可能な受信機１０６により提供される１以上の利用可能なＩＰ接続の中からインターネットとの適切な接続を決定するように構成された接続コントローラ１０４も備える。この適切な接続は、複数の並列に作動する上記利用可能な接続のうちの１つの接続又は複数の接続であってもよい。上記の決定は、可用性、電力、コスト又はパフォーマンス上のニーズのうちのいずれか、又はこれらの任意の組み合わせに基づいてもよい。上記接続は適宜確立され、接続コントローラ１０４は、ページングが停止されるように、該ページングを管理するページサーバへ向けて確立済みの接続を介して好適に通知を送信する。上記通知はページ確認応答であることが望ましい。上記パーティ間での通信はこのようにして可能になる。このアプローチはモビリティ及び電力の節減を提供するものとなる。
【００２７】
図２は実施形態に係る通信装置のための方法を示すフローチャートである。ページメッセージの受信ステップ２００において、上記に説明したようにＰＬＭＮからページメッセージが受信される。接続決定ステップ２０２において適切な接続が決定される。上記決定は、上記に明示したように種々の異なる基準に基づいて行い得ると共に、上記接続は１以上の接続となり得る。決定された接続は接続確立ステップ２０４において確立され、次いで、通知送信ステップ２０６において通知がページサーバへ送信される。図８及び図９に代替実施形態が示されている。
【００２８】
図８は実施形態に係る通信装置のための別の方法を示すフローチャートである。ページメッセージ受信ステップ８００において、通信要求側パーティに関連付けられた情報（ＩＰアドレス、氏名あるいは電話番号など）を含むページメッセージがＰＬＭＮから受信される。接続決定ステップ８０２において適切な接続が決定される。この決定は上記に明示したように種々の異なる基準に基づいて行い得ると共に、接続は１以上の接続となり得る。接続確立ステップ８０４において、決定された接続は上記通信要求側パーティのＩＰアドレスを用いて確立され、次いで、通知送信ステップ８０６において、ページングが閉じられるように通知がページサーバへ送信される。
【００２９】
図９は実施形態に係る通信装置のための別の方法を示すフローチャートである。ページメッセージ受信ステップ９００において、或るパーティが通信要求を行った旨を示すページメッセージがＰＬＭＮから受信される。接続決定ステップ９０２において適切な接続が決定される。この決定は、上記に明示したように種々の異なる基準に基づいて行い得ると共に、接続は１以上の接続となり得る。接続確立ステップ９０４において、決定されたインターネットとの接続、従ってインターネットを介するページサーバとの決定された接続が確立され、通知送信ステップ９０６において、ページングを閉じることができるように通知が上記ページサーバへ送信される。アドレス取得ステップ９０８において、上記トランザクションに関わる上記ページサーバ又は別のサーバから通信要求側パーティのＩＰアドレスに関連付けられた情報が得られる。従って、ＩＰ接続提供ステップ９１０において、通信要求側パーティとのＩＰ接続が通信要求側パーティのＩＰアドレスを用いて確立され得ることになる。
【００３０】
図３は、実施形態に係るパーティ間での通信のための環境を概略的に示す図である。第１の機器３００がインターネット３０２と接続され、このインターネット３０２を経由して、第１の機器３００は第２の機器３０４との接続を要求する。上記接続要求は、ＰＬＭＮ３０８へページ要求を送信するページサーバ３０６によって管理される。ＰＬＭＮ３０８は、インターネット３０２に接続されており、従って、インターネット３０２に接続されたページサーバ３０６に接続されている。ＰＬＭＮはＧＳＭネットワークであってもよく、ページメッセージを送信する。該ページメッセージは、ブロードキャスト制御チャネルにおいて示されるページングチャネル上での提供によって実現され得る。第２の機器３０４は、そのページメッセージを受信し、ＩＰ接続ノード３１０を介してインターネット３０２との接続を確立する。インターネット３０２を介して、上記接続は第１の機器３００と確立され、次いで、通信が可能にされる。また、ページサーバがページ解除命令をＰＬＭＮ３０８へ送信できるように、第２の機器３０４はインターネット３０２を介して上記ページサーバ３０６へ通知を送信し、この通知によって、ＰＬＭＮ３０８は上記ページングを閉じることが可能となる。上記説明したシグナリングの送信は図４に示されている。この図は実施形態に係るパーティ間での通信に関与するエンティティ間における信号フローを示す図である。図３に、ＷｉＦｉアクセスポイントなどの接続ノード３１０につながる無線インタフェース（ＷｉＦｉやＷＬＡＮ  ＩＥＥＥ８０２．１１など）を介して通信を行う無線機器として第２の機器３０４は示されている。しかし、第１の機器３００の場合と同様に第２の機器３０４は有線を介してインターネット３０２と非常に良好に接続され得る。例えば、ホテルの部屋にいる客のように第２の機器がローミング状況にある動的な利用事例では、上記良好な接続は魅力的なものと考えられる。
【００３１】
図５は或る実施形態に係るページサーバ５００を概略的に示すブロック図である。サーバ５００はインターネットと接続された接続要求側受信機５０２を備えると共に、インターネットに接続された通信装置から出されるような要求も受信することができる。このような要求の復号化の際に、上記要求に関係する情報がＰＬＭＮインタフェース５０４へ提供され、該インタフェース５０４はページ要求をＰＬＭＮへ送信する。該ＰＬＭＮはインターネットとも接続できるし、あるいは、ＰＬＭＮインタフェースとも直接接続することができる。また、上記サーバ５００は通知受信機５０６も備え、該通知受信機５０６は、インターネットを介して、確立された接続上で、現在接続されているパーティからの通知の受信が可能である。通知受信機５０６は、受信された通知に関する情報をＰＬＭＮインタフェース５０４へ提供し、該インタフェース５０４は、ページングを閉じることができるようにページ解除命令をＰＬＭＮへ送信する。通知は、ページ確認応答であってもよい。或いは、ページメッセージは第１のパーティに関する情報を提供しない。その場合、第２のパーティは第１のパーティと直接接続を行うことはできない。代わりに、第１のパーティに関する情報はページサーバ５００内に常駐する。接続要求に当たって、第２のパーティはページサーバ５００とまず接続する。この接続によって第２のパーティは、ページ受信の確認応答を行うが、氏名、電話番号、又はＩＰアドレスなどの第１のパーティに関する情報も取得する。その後、第２のパーティは第１のパーティと接続する。この代替アプローチによって、ＰＬＭＮエアインタフェースに関する上記ページングメッセージ内の追加情報に対するニーズがうまく回避されることになる。
【００３２】
図６は実施形態に係るサーバのための方法を示すフローチャートである。接続要求受信ステップ６００において、第２のパーティとの通信を要求する第１のパーティから受信要求が受信される。ページ要求提供ステップ６０２において、ページメッセージの提供時に、第２のパーティに着信する意図をもって送信されるページ要求がＰＬＭＮへ提供される。該第２のパーティはＰＬＭＮ内のページングを監視していることが望ましい。接続確立ステップが成功した場合、第２のパーティはインターネットを介して上記サーバへ通知を送信し、該通知は通知受信ステップ６０４において受信される。このような通知の受信時に、サーバは、ＰＬＭＮがページングを閉じることができるように、ページ解除提供ステップ６０６においてページ解除命令をＰＬＭＮへ提供する。代替実施形態が図１０及び図１１に示されている。
【００３３】
図１０は実施形態に係るサーバのための別の方法を示すフローチャートである。接続要求受信ステップ１０００において、第２のパーティとの通信を要求する第１のパーティからの要求が受信される。ページ要求提供ステップ１００２において、第２のパーティに着信する意図をもって送信されるページメッセージの提供において、ページ要求がＰＬＭＮへ提供される。該第２のパーティは、ＰＬＭＮ内のページングを監視中であることが望ましい。上記ページメッセージには、第２のパーティが、インターネットを介して第１のパーティとの接続を確立できるようにするための情報（ＩＰアドレス、氏名あるいは電話番号など）が含まれる。接続確立ステップが成功した場合、第２のパーティはインターネットを介してサーバへ通知を送信し、該通知は通知受信ステップ１００４において受信される。このような通知の受信時に、サーバは、ＰＬＭＮがページングを閉じることができるように、ページ解除提供ステップ１００６においてページ解除命令をＰＬＭＮへ提供する。
【００３４】
図１１は実施形態に係るサーバのための別の方法を示すフローチャートである。接続要求受信ステップ１１００において、第２のパーティとの通信を要求する第１のパーティから要求が受信される。ページ要求提供ステップ１１０２において、ページメッセージの提供において、第２のパーティに着信する意図をもって送信されるページ要求がＰＬＭＮへ提供される。該第２のパーティは、ＰＬＭＮ内のページングを監視中であることが望ましい。接続確立ステップが成功した場合、第２のパーティはインターネットを介して通知をサーバへ送信し、該通知は通知受信ステップ１１０４において受信される。アドレス提供ステップ１１０６において、上記トランザクションに関わる上記ページサーバ又は別のサーバは、上記通信要求側パーティのＩＰアドレスに関連付けられた情報を上記サーバにアクセスする第１のパーティへ提供する。このようにして、上記通信要求側パーティのＩＰアドレスを用いて、該通信要求側パーティとのＩＰ接続を第１のパーティにより確立することが可能となる。上記通知の受信時に、サーバは、ＰＬＭＮがページングを閉じることができるように、ページ解除提供ステップ１１０８においてページ解除命令をＰＬＭＮへ提供する。
【００３５】
上述したような本方法は、ＧＳＭなどのセルラシステムにおいて適用されるような従来のページングメカニズムを利用するものである。ページングに起因して生じる制御シグナリングのオーバヘッドを制限するために、セルラシステムはロケーションエリア（ＬＡ）を利用する。ロケーションエリアとは、ページングメッセージがブロードキャストされる１グループの（隣接する）セルである。ＬＡは、ページングメッセージが個々のセルラ基地局によって世界中にブロードキャストされる必要があるような状況を回避するために使用される。本セルラシステムはどのＬＡに端末が存在しているかを上記ロケーションの更新により認知している。ロケーションエリア識別子（ＬＡＩ）又はロケーションエリアコード（ＬＡＣ）は、上記ブロードキャスト制御チャネル（ＢＣＣＨ）の形で基地局によりブロードキャストされる。上記端末はＢＣＣＨを一定時間ごとに監視する。ＬＡＩが変化すれば、この端末は該端末が存在しているＬＡを更新するために上記セルラシステムとコンタクトを行う。上記ロケーション更新の利用によって、上記端末に対する着信があったとき、上記セルラシステムは限定されたページを次に実行することが可能となる。上述したような本発明において、ＧＳＭ受信機のみが通信装置１００において想定される場合、上記セルラシステムを介する普通のロケーション更新を行うことはできない。その代わりに、上述したようにロケーション更新は１以上のＩＰ接続により実行されることが望ましい。通信装置１００はＢＣＣＨを一定時間ごとに読み出すことになる（いずれにせよ上記ページングチャネルＰＣＨを発見するように要求される）。上記読み出されたＬＡＩが通信装置１００に格納された前回のＬＡＩと異なれば、通信装置１００はページサーバ５００と接続して、ＬＡＩ情報の更新を図る。この更新は、オプションのロケーション更新サーバ５０８により実行できる。更新サーバ５０８には上記更新済みのＬＡＩ情報が提供される。このＬＡＩ情報はページメッセージ命令の提供時にＰＬＭＮインタフェース５０４へ提供されるように構成される。接続要求時に、ページサーバ５００はページ要求をＰＬＭＮ３０８へ送信する。被呼者の識別子（電話番号、ＩＰアドレス等）に加えて、又はこの識別子とは別に、上記ページ要求は、上記ページメッセージの意図された受信機が存在するＬＡＩに関する情報を含むことができる。次いで、ＰＬＭＮは限定されたページを適用することができる。
【００３６】
本発明に基づくこれらの方法はコンピュータとプロセッサの少なくともいずれかのような処理手段の補助の実現に適したものである。従って、図２、６、８、９、１０及び１１を参照して説明した実施形態のいずれかに従って、上記通信装置及び上記ページサーバのそれぞれにおいて、本方法のうちのいずれかの方法のステップを上記処理手段、プロセッサ又はコンピュータに実行させるように構成された命令を含むコンピュータプログラムが提供される。上記コンピュータプログラムは、図７に例示のように、コンピュータ可読媒体７００上に格納されたプログラムコードを含むことが望ましい。このプログラムコードは、処理手段、プロセッサ、又はコンピュータ７０２によりロードされ、次いで、実行されて、好適には、図２、６、８、９、１０及び１１をそれぞれ参照して説明した実施形態のいずれかの実施形態のような本発明の実施形態に従って上記プログラムコードに本方法をそれぞれ実行させることが可能となる。図１に例示のような上記通信装置内に、又は、図５に例示のようにサーバ内に存在することができるコンピュータ７０２、並びに、コンピュータプログラムプロダクト７００は上記プログラムコードを逐次実行するように構成することが可能であり、その場合、本方法のうちの任意の方法のアクションが段階的に実行される。あるいは、上記コンピュータプログラムプロダクト７００をリアルタイムベースで実行することが可能であり、その場合、必要な入力データのニーズ及び利用可能性に応じてアクションが行われる。上記処理手段、プロセッサ又はコンピュータ７０２は通常組込みシステムと呼ばれることが望ましい。従って、図７に描かれたコンピュータ可読媒体７００及びコンピュータ７０２は、本発明の原理を理解するための例示の目的のために単に提示されたものと解釈されるべきであって、上記エレメントの直接の例示と解釈されるべきではない。
【図１】
2012507227.tif 000003
【図２】
2012507227.tif 000004
【図３】
2012507227.tif 000005
【図４】
2012507227.tif 000006
【図５】
2012507227.tif 000007
【図６】
2012507227.tif 000008
【図７】
2012507227.tif 000009
【図８】
2012507227.tif 000010
【図９】
2012507227.tif 000011
【図１０】
2012507227.tif 000012
【図１１】
2012507227.tif 000013
【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
１以上の通信ベアラ上で通信を行うことが可能な通信装置であって、
別のパーティが前記通信装置との通信を要求する際に存在するページメッセージを公衆地上移動通信ネットワークノードから受信する受信部と、
前記別のパーティとのＩＰ接続を提供するために、前記通信ベアラのうちの１つ以上の通信ベアラを介してインターネットとの接続を確立し、インターネットとの前記確立された接続を介して、前記公衆地上移動通信ネットワークによるページングを管理するページサーバへ向けて、前記ページングのクロージングを可能にするために通知を送信するように構成された接続コントローラと、を備え、前記ページメッセージは、前記別のパーティのＩＰアドレスに関連付けられた情報を含み、前記別のパーティの前記ＩＰアドレスを利用することによって、前記別のパーティとの前記ＩＰ接続の提供が実行され、前記ＩＰアドレスに関連付けられた情報は前記別のパーティの前記ＩＰアドレスを含む、ことを特徴とする通信装置。
【請求項２】
前記公衆地上移動通信ネットワークはＧＳＭネットワークであることを特徴とする請求項１に記載の通信装置。
【請求項３】
前記ページメッセージは、前記ＧＳＭネットワークのブロードキャスト制御チャネルにおいて指示されるページングチャネルを介して提供されることを特徴とする請求項２に記載の通信装置。
【請求項４】
前記ページサーバへの前記通知は、ページ確認応答であることを特徴とする請求項１乃至３のいずれか１項に記載の通信装置。
【請求項５】
前記受信部は、さらに、一定時間ごとに制御チャネルを読み出し、前記制御チャネルに関するロケーションエリア情報が、前記通信装置内に格納された以前に読み出されたロケーションエリア情報とは異なる場合、前記装置は、さらに前記ページサーバ内に提供されている前記ロケーションエリア情報を更新するために該ページサーバと接続することを特徴とする請求項１乃至４のいずれか１項に記載の通信装置。
【請求項６】
別のパーティからの要求により前記別のパーティとのＩＰ接続を確立するための方法であって、
前記別のパーティが通信を要求するときに存在するページメッセージを公衆地上移動通信ネットワークノードから受信するステップと、
インターネットと接続するための１以上の実行可能な接続オプションから接続を決定するステップと、
前記別のパーティとのＩＰ接続を提供するために１以上の通信ベアラ上でインターネットとの前記接続を確立するステップと、
インターネットとの前記確立された接続を介して、前記公衆地上移動通信ネットワークによって前記ページングを管理するページサーバへ向けて、前記ページングのクロージングを可能にするために通知を送信するステップと、を有し、
前記ページメッセージは、前記別のパーティの前記ＩＰアドレスに関連付けられた情報を含み、前記別のパーティのＩＰアドレスを利用することによって前記別のパーティとのＩＰ接続の提供が実行され、前記ＩＰアドレスに関連付けられた情報は前記別のパーティの前記ＩＰアドレスを含む、ことを特徴とする方法。
【請求項７】
前記公衆地上移動通信ネットワークがＧＳＭネットワークであり、前記ＧＳＭネットワークのブロードキャスト制御チャネルから前記ページングチャネルを決定するステップをさらに有することを特徴とする請求項６に記載の方法。
【請求項８】
前記接続を決定するステップは、可用性、電力、コスト又はパフォーマンスのニーズのうちのいずれか、又はこれらの任意の組み合わせに基づく決定を含むことを特徴とする請求項６又は７に記載の方法。
【請求項９】
前記接続を決定するステップは、並列に動作する複数の接続を決定することを含むことを特徴とする請求項６乃至８のいずれか１項に記載の方法。
【請求項１０】
制御チャネルを一定時間ごとに読み出すステップと、
前記制御チャネルに関するロケーションエリア情報が以前に読み出されたロケーションエリア情報とは異なる場合、前記ページサーバに提供されている前記ロケーションエリア情報を更新するために前記ページサーバと接続するステップと、
をさらに有することを特徴とする請求項６乃至９のいずれか１項に記載の方法。
【請求項１１】
プロセッサにより実行されるとき、請求項６乃至１０のいずれか１項に記載の方法を前記プロセッサに実行させるための命令を含むプログラムコードを含むコンピュータプログラム。
【請求項１２】
インターネットと接続されたページサーバであって、
第２のパーティとの通信を要求する第１のパーティから要求を受信する接続要求側受信部と、
公衆地上移動通信ネットワークとの通信を行うためのインタフェースであって、前記第１のパーティからの前記要求の受信によるページメッセージの提供において、前記公衆地上移動通信ネットワークへページ要求を提供するインタフェースと、
前記ページメッセージが受信された旨の通知を前記第２のパーティとインターネットとの間で確立された接続を介して受信するように構成された通知受信部と、
を備え、
前記インタフェースは、さらに、前記通知の受信時に、前記ページングのクロージングのために、ページ解除要求を前記公衆地上移動通信ネットワークへ提供し、
前記ページメッセージは前記第１のパーティのＩＰアドレスに関連付けられた情報を備え、前記ＩＰアドレスに関連付けられた情報は前記別のパーティのＩＰアドレスを備えることを特徴とするページサーバ。
【請求項１３】
前記ページ要求が前記ページサーバのＩＰアドレスに関連付けられたローカルエリアコードをさらに含むように、ＩＰアドレスと、該ＩＰアドレスに関連付けられたローカルエリアコードとの組を含むテーブルをさらに備えることを特徴とする請求項１２に記載のページサーバ。
【請求項１４】
さらに、パーティのロケーションエリア情報の更新のために該パーティによりアクセスされるように構成されていることを特徴とする請求項１３に記載のページサーバ。
【請求項１５】
第１のパーティと第２のパーティ間における接続を提供するための方法であって、
第２のパーティとの通信を要求する要求を第１のパーティからインターネット上で受信するステップと、
前記第１のパーティからの前記要求の受信によるページメッセージの提供において、前記第２のパーティがＩＰ接続を前記第１のパーティへ提供するべく１以上の通信ベアラを介してインターネットとの接続を確立できるように、ページングチャネル上でページメッセージが送信されるように、公衆地上移動通信ネットワークへページ要求を提供するステップと、
前記ページメッセージが受信された旨の通知を前記第２のパーティとインターネットとの間で確立された接続を介して受信するステップと、
前記ページングをクロージングするために、前記通知の受信によりページ解除要求を前記公衆地上移動通信ネットワークへ提供するステップと、を有し、
前記別のパーティの前記ＩＰアドレスを利用することによって前記別のパーティとのＩＰ接続の提供が実行されるように、前記ページメッセージが前記第１のパーティのＩＰアドレスに関連付けられた情報を含み、前記ＩＰアドレスに関連付けられた情報は、前記別のパーティのＩＰアドレスを備えることを特徴とする方法。
【請求項１６】
前記第２のパーティのＩＰアドレスに関連付けられたローカルエリアコードを決定するステップと、
前記ローカルエリアコードを前記ページ要求の中に含めるステップと、
をさらに有することを特徴とする請求項１５に記載の方法。
【請求項１７】
パーティのロケーションエリア情報に関する更新情報を受信するために該パーティによるアクセスを可能にするステップをさらに有することを特徴とする請求項１６に記載の方法。
【請求項１８】
プロセッサにより実行されるとき、請求項１５乃至１７のいずれか１項に記載の方法を前記プロセッサに実行させるための命令を含むプログラムコードを含むコンピュータプログラム。
【国際調査報告】
2012507227.tif 000014
2012507227.tif 000015